(57)【要約】【課題】受信する放送信号の特定帯域内におけるデータが欠落している場合、ＡＧＣ（Ａｕｔｏ  Ｇａｉｎ  Ｃｏｎｔｒｏｌ）の動作に不具合が生じるおそれがある。具体的には信号の存在しない領域に対して強い増幅をかけてしまう。そのようにすると信号の存在する領域を受信する際に、同期外れやブロックノイズを発生させてしまう。【解決手段】放送信号を受信する受信部２０１と、受信した放送信号に追従して、放送信号を一定レベルに増幅するアンプ部と、前記放送信号に含まれる特定の情報に基づいて前記アンプ部の追従速度をコントロールする制御部２０４と、を有する放送受信機とする。【選択図】図２
2012156915.tif 000002
【特許請求の範囲】
【請求項１】
放送信号を受信する受信部と、
受信した放送信号に追従して、放送信号を一定レベルに増幅するアンプ部と、
前記放送信号に含まれる特定の情報に基づいて前記アンプ部の追従速度をコントロールする制御部と、
を有する放送受信機。
【請求項２】
前記放送信号に含まれる特定の情報とは、前記放送信号を復調して得られるビットストリームの特定の領域に関するデータの有無に関する情報であり、
前記制御部は、前記特定の情報に、前記特定の領域に関するデータが存在するという情報が含まれる際に、前記アンプ部の追従速度を通常の速度より遅くコントロールする、
放送受信機。
【発明の詳細な説明】
【技術分野】
【０００１】
本発明は放送受信機に関する。より詳しくは、受信する放送信号の特定帯域内におけるデータが欠落している場合であっても誤動作を防止することが可能な放送受信機に関する。
【背景技術】
【０００２】
近年、放送波のデジタル化が進んでいる。一般にデジタル信号の搬送波で搬送される放送信号には、放送信号の種類や内容を識別するために多数の識別子が付加されている。そして、放送波を受信する放送受信機においても識別子に応じて種々の制御がなされている。
【０００３】
ここで、放送信号に含まれる識別子の例としては、放送信号内に特定のデータが存在するか否かを示すフラグが挙げられる。放送受信機は、フラグの内容を判断して、特定のデータに備えて機器の制御を行うか否かを判断することが出来る。
【０００４】
非特許文献１ではＤＶＢ−Ｔ２放送方式におけるＦＥＦというものが記載されている。このＦＥＦというのはＦｕｔｕｒｅ  Ｅｘｔｅｎｓｉｏｎ  Ｆｒａｍｅｓの略である。デジタルテレビ放送のＤＶＢ−Ｔ２方式の規格の中で、放送局が独自のデータや放送などをこのＦＥＦに組み込むことや、全く別の用途に使用することがＦＥＦには想定されている。つまり、ＦＥＦは将来的な拡張として様々なデータを含ませる仕組みである。受信機は特定の情報を参照することによってこのＦＥＦの有無を判断することができる。この情報をフラグという。フラグの記述をＤＶＢ−Ｔ２の受信データの中に行うことが規定されている。
【先行技術文献】
【非特許文献】
【０００５】
【非特許文献１】欧州電気通信標準化協会（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）著  「ＥＴＳＩ  ＥＮ  ３０２  ７５５  Ｖ１．１．１」  ２００９年
【発明の概要】
【発明が解決しようとする課題】
【０００６】
ところが、上記フラグによって特定のデータが放送信号内に存在することを示された場合であっても、実際には何らかの事情で放送信号内に特定のデータが存在しない例外的な状況が存在する。そのような場合、放送受信機は特定のデータが存在しないにも関わらず、特定のデータが存在すると判断して処理を行ってしまう。
【０００７】
前述のＤＶＢ−Ｔ２を例に機器の動作を説明する。ＤＶＢ−Ｔ２放送信号中のＦＥＦ部分にデータが存在しない場合、出力信号調整を行うＡＧＣ（Ａｕｔｏ  Ｇａｉｎ  Ｃｏｎｔｒｏｌ）の動作に不具合が生じるおそれがある。なぜならば、信号帯域内においてＦＥＦの部分の信号が欠落してしまっているため、ＡＧＣの動作が急唆となるからである。ＡＧＣの動作が急唆となると、次にＤＶＢ−Ｔ２の信号フレームが来たときには、ＡＧＣが安定するまでの間に信号が正しく出力されないので同期外れやブロックノイズなどの不具合に繋がるおそれがある。
【０００８】
つまり、従来の放送受信機には、受信する放送信号の特定帯域内におけるデータが欠落している場合、同期外れやブロックノイズを発生させてしまうという問題があった。
【０００９】
本発明は、上記事情に鑑みてなされたものであって、受信する放送信号の特定帯域内におけるデータが欠落している場合であっても正常に放送を受信することのできる、放送受信機を提供することを目的としている。
【課題を解決するための手段】
【００１０】
前記従来の課題を解決する為に、放送信号を受信する受信部と、受信した放送信号に追従して、放送信号を一定レベルに増幅するアンプ部と、前記放送信号に含まれる特定の情報に基づいて前記アンプ部の追従速度をコントロールする制御部と、を有する放送受信機とした。
【発明の効果】
【００１１】
本発明の放送受信機によれば、放送信号内のフラグを読み取り適応制御することが可能となるから、例えばＦＥＦ信号を含んだＤＶＢ−Ｔ２信号をＡＧＣを適応制御することにより、不具合なく受信ができる。
【図面の簡単な説明】
【００１２】
【図１】実施の形態１における、放送受信機の概略を表す機能ブロック図
【図２】実施の形態１における、放送受信機が有するフロントエンドとデコーダの詳細なブロック図
【図３】実施の形態１における、放送受信機の動作フローチャート
【図４】実施の形態１の変形例における、放送受信機の動作フローチャート
【図５】実施の形態１において、放送受信機に受信される信号の構造を表した図
【図６】ＡＧＣの動作説明図
【発明を実施するための形態】
【００１３】
（実施の形態１）
＜機器の構成＞
本発明の一実施の形態における、放送受信機の機器の構成について説明する。
【００１４】
図１は実施の形態１における、放送受信機の概略を表す機能ブロック図である。放送受信機１００は、放送または通信によって配信される番組やコンテンツを視聴するための機器である。放送受信機１００はフロントエンド１０１と、デコーダ１０２と、パネル駆動・制御部１０３を有する。
【００１５】
フロントエンド１０１はアンテナ（図示しない）などのインタフェースによって受信されたＲＦ信号（放送信号）をデジタル信号へ復調するものである。
【００１６】
デコーダ１０２はフロントエンド１０１で復調されたデジタル信号を映像信号へと復号するものである。
【００１７】
パネル駆動・制御部１０３は、デコーダ１０２において復号された映像信号を、プラズマディスプレイパネル（図示しない）などの表示装置で表示可能な形式へ変換し、別途接続された表示装置へ出力するものである。
【００１８】
フロントエンド１０１とデコーダ１０２の構造について図２を用いて詳細に説明する。
【００１９】
図２は実施の形態１における、放送受信機が有するフロントエンドとデコーダの詳細なブロック図である。
【００２０】
フロントエンド１０１の構成について説明する。なお図２は本実施の形態における主要な構成要素のみの構成方法を例示した図であり、他の構成要素が含まれても良いし、等価な構成要素を用いて構成してもよい。
【００２１】
フロントエンド１０１は受信部２０１と、信号変換部２０２と、ＩＦ信号調整部２０３と、制御部２０４と、復調部２０５を有する。
【００２２】
受信部２０１は、放送信号（ＲＦ信号）を受信するものである。受信部２０１はＲＦアンプ２１１とフィルタ２１２を有する。ＲＦアンプ２１１は、受信したＲＦ信号の出力レベルを後述する制御部２０４からの制御信号（ＡＧＣ（ＲＦ））に基づいて調整するものである。このように制御部２０４からの制御信号によって信号の出力レベルが調整されることをＡＧＣ（Ａｕｔｏ  Ｇａｉｎ  Ｃｏｎｔｒｏｌ）と呼ぶ。フィルタ２１２は受信したＲＦ信号から所望の帯域のみを抽出するものである。
【００２３】
信号変換部２０２は受信部２０１で出力レベルが調整されたＲＦ信号をＩＦ信号に変換するものである。信号変換部２０２は局部発振回路２２１とミキサ２２２とフィルタ２２３を有する。ミキサ２２２は受信したＲＦ信号に、局部発振回路２２１で生成された信号を合成しＩＦ信号に変換する。フィルタ２２３は変換したＩＦ信号から所望の帯域のみを抽出するものである。
【００２４】
ＩＦ信号調整部２０３は、信号変換部２０２でから出力されたＩＦ信号の出力レベルを調整するものである。ＩＦ信号調整部２０３は信号レベル検出部２３１とＩＦアンプ２３２とを有する。信号レベル検出部２３１は受信したＩＦ信号のレベルを検出する。検出されたＩＦ信号のレベルは制御部２０４に通知される。ＩＦアンプ２３２は、受信したＲＦ信号の出力レベルを制御部２０４からの制御信号（ＡＧＣ（ＩＦ））に基づいて調整するものである。
【００２５】
制御部２０４は後述の復調部２０５や後述のマイコン２０６からの命令に基づいて受信部２０１、ＩＦ信号調整部２０３の制御を行うものである。制御部２０４の具体的な構成は、汎用インタフェースとして知られるＩ２Ｃなどである。制御命令にはＡＧＣ（ＲＦ）とＡＧＣ（ＩＦ）が含まれる。ＡＧＣ（ＲＦ）において制御部２０４は信号レベル検出部２３１で得られたＩＦ信号のレベルと後述するマイコン２０６の命令を基にＲＦアンプ２１１に出力レベルの調整を行うよう命令する。
【００２６】
復調部２０５はＩＦ信号を復調しデジタル信号を出力するものである。本実施の形態において、復調部２０５は既知の放送規格であるＤＶＢ−Ｔ２規格に従って変調されたデジタル信号を復調可能な機能を有する。
【００２７】
デコーダ１０２はマイコン２０６を有する。デコーダ１０２はマイコン２０６の他にもデジタル信号を映像信号へ復号する為の種々の構成要素を有する。
【００２８】
マイコン２０６は受信状態を解析し、他の構成部品の動作を制御する命令を生成するものである。マイコン２０６はデコーダ１０２で復号されたデジタル信号の内容を解析することができる。マイコン２０６で生成された命令は制御部２０４を介して各構成部品に伝達される。マイコン２０６が制御を行う構成部品には受信部２０１、ＩＦ信号調整部２０３、復調部２０５が含まれる。
【００２９】
これらの構成要素はそれぞれが独立した回路素子で構成されてもよいし、シリコンＩＣ等の一体の回路として構成されてもよい。
【００３０】
＜機器の動作＞
本発明の一実施の形態における機器の動作を説明する。
【００３１】
図３は実施の形態１における放送受信機の動作フローチャートである。本実施の形態では、ＤＶＢ−Ｔ２規格に基づいて放送された放送信号を受信した場合の、放送受信機１００の動作を説明する。
【００３２】
ステップＳ３００における放送信号受信動作では、放送受信機が所望の周波数帯の放送信号を選局し、受信する。具体的には、まずマイコン２０６が受信する周波数を設定する。受信する周波数は放送受信機の使用者によって決定される場合もあるし、マイコン２０６が自発的に決定する場合もある。そして、制御部２０４を介してこの周波数が局部発振回路２２１に通知される。局部発振回路２２１は受信する周波数に応じて発振信号を生成する。すると、所望の周波数帯のＲＦ信号がミキサ２２２を通じて、ＩＦ信号へ変換され、復調部２０５まで入力される。
【００３３】
ここで、復調部２０５の動作を説明する前に、放送受信機１００が受信する信号の構造について説明する。図５は実施の形態１において放送受信機に受信される信号を復調して得られるビットストリームの構造を表した図である。ＤＶＢ−Ｔ２規格ではＯＦＤＭ変調方式が採用されている。図５に示されるように、ＤＶＢ−Ｔ２規格においてはＳｕｐｅｒ  Ｆｒａｍｅ５００が区切り単位として構成されている。Ｓｕｐｅｒ  Ｆｒａｍｅ５００の中には複数のＴ２  Ｆｒａｍｅ５０１が存在する。また、Ｓｕｐｅｒ  Ｆｒａｍｅ５００の中にはＦＥＦ５０２が存在する場合もある。ＦＥＦ５０２とは前述したように、将来的な拡張として様々なデータの格納が予定されているフレームであり、ＤＶＢ−Ｔ２の受信機としてはＦＥＦ５０２については復調などの対応は行わない仕様となっている。Ｔ２  Ｆｒａｍｅ５０１の中には複数のシンボルが含まれる。これらのシンボルはＯＦＤＭ変調の変調単位である。さらにＴ２  Ｆｒａｍｅ５０１の中には、送信パラメータなどの情報を格納するＰ１シンボル５０３が存在する。Ｐ１シンボル５０３には自身が属するＳｕｐｅｒ  Ｆｒａｍｅ５００にＦＥＦが含まれているか否かの情報を示すＳ２情報が含まれている。復調部２０５はこのようなパケット構造および構文を適宜解析し、復調動作を行う。
【００３４】
ステップＳ３０１におけるｗａｉｔ動作では、復調部２０５に入力されるＩＦ信号が安定するまで復調部２０５がｗａｉｔ動作を行う。
【００３５】
ステップＳ３０２におけるＰ１  Ｌｏｃｋ確認では、復調部２０５によって復調された信号をマイコン２０６が解析し、ＤＶＢ−Ｔ２信号内に含まれるＰ１シンボル５０３を同期受信できたか否かの確認を行う。
【００３６】
ステップＳ３０３におけるＴｉｍｅ−ｏｕｔ時間確認では、設定された時間の間にＰ１シンボル５０３の同期受信が出来ない場合、放送信号が受信出来ないと判断し、受信動作を停止する。
【００３７】
ステップＳ３０４におけるＰ１  ｓｉｇｎａｌｉｎｇ  ｄａｔａ取得では、マイコン２０６が、Ｐ１シンボル５０３からＳ２情報を取得する。Ｓ２情報とは放送パラメータに関する情報である。Ｓ２情報には例えば、自身が属するＳｕｐｅｒ  Ｆｒａｍｅ５００にＦＥＦが含まれているか否かの情報が含まれる。
【００３８】
ステップＳ３０５では、マイコン２０６が、Ｓ２情報を参照し、自身が属するＳｕｐｅｒ  Ｆｒａｍｅ５００の内部にＦＥＦ５０２があるかどうかの識別子であるＳ２  ｆｉｅｌｄ２のデータが０（ＦＥＦなし）かどうかの確認を行う。
【００３９】
ＦＥＦ５０２が存在する場合、ステップＳ３０６におけるＡＧＣスピード調整では、ＡＧＣの追従速度を遅くする。具体的には、ＡＧＣ（ＲＦ）においてはマイコン２０６から制御部２０４を通じて、ＲＦアンプ２１１を制御し、ＡＧＣ（ＲＦ）の追従速度を遅くする。ＡＧＣ（ＩＦ）においてはマイコン２０６から制御部２０４を通じてＩＦアンプ２３２を制御し、ＡＧＣ（ＩＦ）の追従速度を遅くするということである。ＡＧＣ追従速度の設定は機器の構成により方法は異なる。また、ＡＧＣ（ＲＦ）とＡＧＣ（ＩＦ）の両方の追従速度を遅くするか、又は片方のみの追従速度を遅くするかは、ＲＦアンプ２１１とＩＦアンプ２３２のゲイン配分によって適宜変更することができる。ゲイン配分がＲＦアンプ２１１に偏っている際はＲＦアンプ２１１によって増幅される信号の影響が大きいのでＡＧＣ（ＲＦ）の追従速度を遅くする。ゲイン配分がＩＦアンプ２３２に偏っている際はＩＦアンプ２３２によって増幅される信号の影響が大きいのでＡＧＣ（ＲＦ）の追従速度を遅くする。ＲＦアンプ２１１とＩＦアンプ２３２のゲイン配分に偏りが無い場合はＡＧＣ（ＲＦ）とＡＧＣ（ＩＦ）の両方の追従速度を遅くすればよい。
【００４０】
ステップＳ３０７におけるｗａｉｔでは、ＦＥＦ５０２の占めうる最大期間だけｗａｉｔを行う。さらにその後に再度Ｐ１  ｓｉｇｎａｌｉｎｇ  ｄａｔａの取得を行う。ここでｗａｉｔをＦＥＦ５０２の占めうる最大の期間だけ行う意義を説明する。Ｐ１シンボル５０３は、ＦＥＦ５０２にも含まれる（Ｓ３０２でＹｅｓ）。ＦＥＦ５０２自身が持つＳ２  ｆｉｅｌｄ２は信用することができない。なぜなら、ＦＥＦ５０２自体の使い方が自由であり、Ｓ２  ｆｉｅｌｄ２のデータが正規である保証が存在しないからである。すると、Ｓ２  ｆｉｅｌｄ２のデータが０（ＦＥＦなし）とマイコン２０６が判断した場合であっても、Ｓｕｐｅｒ  Ｆｒａｍｅ５００の中にはＦＥＦ５０２が存在するおそれがある。つまり、Ｓ３０４のＰ１  Ｓｉｇｎａｌｉｎｇ  ｄａｔａを取得していた場合であってもデータが不正規な場合があり、ＦＥＦ信号が存在するにも関わらず無いと判断してしまうおそれがある。そこで、ＦＥＦ５０２の最大時間分のｗａｉｔ（Ｓ３０９）を入れることにより、ＦＥＦ５０２部分を再度読み込むおそれを回避して、再度Ｐ１  ｓｉｇｎａｌｉｎｇ  ｄａｔａの取得を行うことによって確実にＳ２  ｆｉｅｌｄ２の値を確認することができる。この誤判定防止は先にＰ１  ｓｉｇｎａｌｉｎｇ  ｄａｔａを読んで、ＦＥＦ５０２の最大時間分をｗａｉｔし、さらに再度Ｐ１  ｓｉｇｎａｌｉｎｇ  ｄａｔａを読んでから、Ｓ２  ｆｉｅｌｄのデータを判定する方法でもよい。
【００４１】
ステップＳ３０８における信号条件判断部では、Ｓ３０５と同じくＳ２信号の中のＦＥＦ５０２があるかどうかの識別子であるＳ２  ｆｉｅｌｄ２のデータが０（ＦＥＦなし）かどうかの確認を行う。
【００４２】
ステップＳ３０９における復調同期確認では、マイコン２０６が、Ｐ１信号以外の信号が同期しているかを確認し、ＤＶＢ−Ｔ２信号が受信できるかどうかの判断を行う。
【００４３】
ステップＳ３１０におけるＴｉｍｅ−ｏｕｔ時間判定では、設定された時間の間に復調の同期が入らない場合、放送信号が受信出来ないと判断し、受信動作を停止する。
【００４４】
なお、ＡＧＣの追従速度の変更がすぐに反映されず、再選局を行ってはじめてＡＧＣの追従速度の反映が行われるように、機器が構成されている場合がある。そのような場合は実施の形態１の変形例として図４に示した制御を行うとよい。
【００４５】
図４は実施の形態１の変形例における、放送受信機の動作フローチャートである。実施の形態１の変形例ではステップＳ３０６におけるＡＧＣスピード調整の後に、制御の流れがステップＳ３００へ向かい、再選局を行う点が、ここまで説明した実施の形態と異なる。
【００４６】
ステップＳ３０６とステップＳ３００との間に追加されたステップＳ４０１について説明する。ステップＳ４０１におけるｗａｉｔ調整は、Ｓ３０６にてＡＧＣの追従速度を遅く変更したので、その速度に対応してＳ３０１のｗａｉｔの時間を変更するものである。このようにして、ＡＧＣの追従速度の変更を有効にすることが出来る。
＜実施の形態１におけるＡＧＣの追従速度制御＞
ＡＧＣの追従速度を遅くすることによる作用効果について図６を用いて説明を行う。
【００４７】
ＡＧＣの追従速度を遅くすると、Ｓ２  ｆｉｅｌｄ２のデータが１（ＦＥＦあり）である場合に、実際にはＦＥＦ５０２の内部にデータが存在しない場合に有用である。その理由を以下で説明する。
【００４８】
ＤＶＢ−Ｔ２  フレーム６００は復調部２０５が処理するフレームである。チャート６０１はＡＧＣの追従速度を遅くしない場合のＡＧＣ電圧の挙動である。チャート６０２はＡＧＣ追従を遅くした場合の挙動である。
【００４９】
まず前提としてＡＧＣの追従速度はチャンネルの選局速度と深い関係がある。一般的にはＡＧＣの追従速度は速く設定されている。つまり、ＡＧＣの追従速度を遅くしない場合、すなわち本発明の制御がない場合は、Ｓ２  ｆｉｅｌｄ２のデータが１（ＦＥＦあり）であって実際にはＦＥＦ５０２の内部にデータが存在しないときは、ＡＧＣ電圧はチャート６０１のような挙動になる。これは、ＦＥＦ５０２内の信号を復調しようとした際に、ＦＥＦ５０２の存在すべき箇所に信号が存在せず、マイコン２０６が微弱な信号を受信していると判断して、ＡＧＣ（ＲＦ／ＩＦ）によって信号を増幅させようとするからである。
【００５０】
６０１のような挙動になると、ＦＥＦ５０２を受信している期間でＡＧＣが激しく動作し、ＦＥＦ５０２後のＴ２  Ｆｒａｍｅ再開時に、ＡＧＣの値が適切な値を上回ってしまう。結果として、ブロックノイズが発生してしまう。
【００５１】
一方、本発明の制御を用いると、チャート６０２に示されるように、ＦＥＦがある場合であれば、ＡＧＣ追従スピードを遅くするように設定出来る。つまり、Ｓ２  ｆｉｅｌｄ２のデータが１（ＦＥＦあり）である場合に、実際にはＦＥＦ５０２の内部にデータが存在しないときでも、ＦＥＦ５０２の期間中にＡＧＣがほとんど追従していかず、ＦＥＦ５０２の後のＴ２  Ｆｒａｍｅ再開時でも不具合なく受信可能となる。
【００５２】
また、上記はＦＥＦのありなしをＡＧＣ追従速度の条件としているが、ＦＥＦの長さや周期を条件に付け加えて、より詳細に制御してもよい。
＜実施の形態１のまとめ＞
上記のようにＤＶＢ−Ｔ２信号を受信するときに、ＦＥＦ信号があるときには、ＡＧＣの追従スピードを遅くすることにより、ＦＥＦ信号の中身のデータがない場合の帯域内の信号の欠落が発生しても、欠落した信号へのＡＧＣ信号の追従を抑え、次のＤＶＢ−Ｔ２データの再開時にＡＧＣがすぐに戻らずブロックノイズが発生してしまう可能性を回避することが出来る。
【００５３】
またＦＥＦ信号以外の場合はＡＧＣ速度を変更しないため、通常の放送視聴時に選局動作が遅くなる現象も発生しない。
【産業上の利用可能性】
【００５４】
本発明の制御方法は、デジタル放送の受信制御において、受信不具合を解消する手段として有用である。
【符号の説明】
【００５５】
１００    放送受信機
１０１    フロントエンド
１０２    デコーダ
１０３    パネル駆動・制御部
２０１    受信部
２０２    信号変換部
２０３    ＩＦ信号調整部
２０４    制御部
２０５    復調部
２０６    マイコン
２１１    ＲＦアンプ
２１２    フィルタ
２２１    局部発振回路
２２２    ミキサ
２２３    フィルタ
２３１    信号レベル検出部
２３２    ＩＦアンプ
５００    Ｓｕｐｅｒ  Ｆｒａｍｅ
５０１    Ｔ２  Ｆｒａｍｅ
５０２    ＦＥＦ
５０３    Ｐ１シンボル
６００    ＤＶＢ−Ｔ２  フレーム
６０１    チャート
６０２    チャート
【図１】
2012156915.tif 000003
【図２】
2012156915.tif 000004
【図３】
2012156915.tif 000005
【図４】
2012156915.tif 000006
【図５】
2012156915.tif 000007
【図６】
2012156915.tif 000008